(57)【要約】【課題】管を端部を形成するように切断し、同時に、管に溝を形成するための装置すなわち道具を提供する。【解決手段】この装置すなわち道具（１０）は、管（１４）を切断するための１つのカッター（１６）と、管（１４）に溝（１２）を形成するための１つのローラ（１８）とを有している。このカッター（１６）は、管（１４）を切断し、同時に、管（１４）に形作られた端部（１１）を形成するためのプロファイルを有することができる。一態様において、管（１４）に対して１つのカッター（１６）と１つのローラ（１８）とを位置させるように、本体（３０）と支持体（１９）とが用いられている。他の態様において、管に対して１つのカッターと１つのローラとを動かすように１対の対向しているダイが用いられている。これらダイを、電気パワードリルの出力部分に接続されている駆動シャフトにより動かすことができる。【選択図】図３
2006289603.tif 000002
【特許請求の範囲】
【請求項１】
管に端部を形成するように管を切断するための切断手段と、
この端部から離間されている溝を形成するための溝形成手段と、
前記切断手段と溝形成手段とを前記管に対して移動させるための移動手段とを具備する、管に端部を形成するように管を切断し同時にこの端部から離間された溝をこの管に形成するための装置。
【請求項２】
前記切断手段は、前記管をある長さに切断すると同時にこの管に端部を形成するためのプロファイルをさらに有する請求項１に記載の装置。
【請求項３】
前記切断手段は、少なくとも１つのカッターをさらに有し、前記溝形成手段は、少なくとも１つのローラをさらに有する請求項１に記載の装置。
【請求項４】
前記移動手段は、
前記少なくとも１つのカッターと、少なくとも１つのローラとを支持する本体と、
この本体の少なくとも１つのカッター及び少なくとも１つのローラとそれぞれ対向して位置される他のカッター及び他のローラを有している支持体と、
この支持体を前記本体に対して移動させるための支持体移動手段とをさらに有する請求項３に記載の装置。
【請求項５】
前記本体は、
前記少なくとも１つのカッターと、少なくとも１つのローラとをこの本体に回転可能に取り付けるための手段と、
前記少なくとも１つのカッターと、少なくとも１つのローラとの間のあらかじめ選ばれた間隔を維持させるための間隔維持手段とをさらに有する請求項４に記載の装置。
【請求項６】
前記間隔維持手段は、前記少なくとも１つのカッターと少なくとも１つのローラとの間に取り付けられた軸受筒をさらに有する請求項５に記載の装置。
【請求項７】
前記本体は、複数の異なる直径の管を取り扱うことを可能とするように、前記支持体移動手段の移動を調整するための調整手段をさらに有する請求項４に記載の装置。
【請求項８】
前記調整手段は、各々が前記複数の異なる管の直径の各々に対応している、複数の印をさらに有している請求項７に記載の装置。
【請求項９】
前記調整手段は、前記本体に取り付けられている調整可能なストッパをさらに有している請求項７に記載の装置。
【請求項１０】
前記調整可能なストッパは、
前記本体に取り付け可能な制止体と、
前記支持体に対するこの制止体のための複数の停止位置を規定するための移動止め手段とをさらに有する請求項９に記載の装置。
【請求項１１】
前記制止体は、前記本体にこの制止体を回転可能に取着するための手段をさらに有する請求項１０に記載の装置。
【請求項１２】
前記移動止め手段は、
前記本体の穴の中に部分的かつ移動可能に位置された部材と、
この部材が、各々が複数の停止位置の各々に対応している、前記制止体の複数の開口部の１つと係合するように、前記穴から前記部材をバイアスするためのバイアス手段とをさらに有する請求項１０に記載の装置。
【請求項１３】
前記部材は、ボールをさらに有する請求項１２に記載の装置。
【請求項１４】
前記バイアス手段は、ばねをさらに有する請求項１２に記載の装置。
【請求項１５】
前記支持体は、
前記少なくとも１つのカッターと少なくとも１つのローラとを前記本体に回転可能に取着させるための少なくとも１つのシャフトと、
前記少なくとも１つのカッターと少なくとも１つのローラとの間の選択された間隔を維持させるための間隔維持手段と、
各々が前記少なくとも１つのシャフトの対向端部を中に受けるように、前記支持体に設けられた少なくとも１対の開口部とをさらに有する請求項４に記載の装置。
【請求項１６】
前記間隔維持手段は、軸受筒をさらに有する請求項１５に記載の装置。
【請求項１７】
前記移動手段は、前記本体と支持体との間に取着され、ねじが形成されているシャフトをさらに有する請求項４に記載の装置。
【請求項１８】
前記移動手段は、
１対の対向するダイと、
これらダイを相対的に動かすためのダイ移動手段と、
これらダイの動きを、前記切断手段と溝形成手段との前記管の長手方向の軸に対しての直角の方向への動きに転換させるための転換手段と、
前記切断手段と溝形成手段とを前記管に対して回転可能に動かすためのアクチュエータとをさらに有する請求項１に記載の装置。
【請求項１９】
ハウジングをさらに具備する請求項１８に記載の装置。
【請求項２０】
前記切断手段は、
基台と、
切断輪と、
この切断輪を前記基台に回転可能に取り付けるための手段とをさらに有する請求項１８に記載の装置。
【請求項２１】
前記基台は、
第１の面と、
この第１の面に位置され、第１の歯車の第１の面の少なくとも１つの開口部に相補的な形状を有する突起と、
前記ダイの開口部に相補的な形状の第２の面とをさらに有する請求項２０に記載の装置。
【請求項２２】
前記第２の面は、角度の付けられた面をさらに有する請求項２１に記載の装置。
【請求項２３】
前記溝形成手段は、
基台と、
ローラ輪と、
このローラ輪を前記基台に回転可能に取り付けるための手段とをさらに有する請求項１８に記載の装置。
【請求項２４】
前記基台は、
第１の面と、
この第１の面に位置され、第１の歯車の第２の面の少なくとも１つの開口部に相補的な形状を有する突起と、
前記ダイの開口部に相補的な形状の第２の面とをさらに有する請求項２３に記載の装置。
【請求項２５】
前記第２の面は、角度の付けられた面をさらに有する請求項２４に記載の装置。
【請求項２６】
前記ダイ移動手段は、
各々のダイと関連付けられた少なくとも１つのねじが形成された開口部と、
この少なくとも１つの開口部に相補的なねじパターンを有する少なくとも１つの駆動シャフトと、
この少なくとも１つの駆動シャフトを回転するための回転手段とをさらに具備する請求項１８に記載の装置。
【請求項２７】
前記少なくとも１つの駆動シャフトは、
第１の歯車と、
この第１の歯車を駆動するための第２の歯車を有する第１の駆動シャフトと、
この第１の歯車により駆動される第３の歯車を有する第２の駆動シャフトとをさらに有する請求項２６に記載の装置。
【請求項２８】
前記第１の駆動シャフトは、前記第２の歯車をこの第１の駆動シャフトに対して固定するための留具を中に受けるための、この第２の歯車の開口部に対応する開口部をさらに有する請求項２７に記載の装置。
【請求項２９】
前記第２の駆動シャフトは、前記第３の歯車をこの第２の駆動シャフトに対して固定するための留具を中に受けるための、この第３の歯車の開口部に対応する開口部をさらに有する請求項２７に記載の装置。
【請求項３０】
前記回転手段は、電気パワードリルの出力シャフトをさらに有する請求項２６に記載の装置。
【請求項３１】
前記パワードリルの出力部は、各々が前記少なくとも１つの駆動シャフトに取着可能である、チャックとシャフトとの少なくとも一方を有する請求項３０に記載の装置。
【請求項３２】
前記パワードリルは、プラグ接続式のパワードリルと、バッテリ式のパワードリルとの少なくとも一方をさらに有する請求項３０の装置。
【請求項３３】
前記転換手段は、
前記切断手段及び溝形成手段の、少なくとも１つの角度を付けられた面と、
各ダイと関連付けられた少なくとも１つの開口部とを有し、この少なくとも１つの開口部は、前記少なくとも１つの角度を付けられた面に相補的な形状を有する請求項１８に記載の装置。
【請求項３４】
前記アクチュエータは、
前記管に対して、前記切断手段と溝形成手段との少なくとも一方を回転させるための第１の歯車と、
この第１の歯車と駆動係合している第２の歯車と、
この第２の歯車を回転させるための回転手段とをさらに有している請求項１８に記載の装置。
【請求項３５】
前記第１の歯車は、
前記切断手段を中に受けるための、この第１の歯車の第１の面の少なくとも１つの開口部と、
前記溝形成手段を中に受けるための、この第１の歯車の第２の面の少なくとも１つの開口部とをさらに有する請求項３４に記載の装置。
【請求項３６】
前記第１の歯車の第１の面の少なくとも１つの開口部は、径方向に延びている開口部をさらに有している請求項３５の装置。
【請求項３７】
前記第１の歯車の第１の面の少なくとも１つの開口部は、前記切断手段の突起に相補的な形状をさらに有している請求項３５の装置。
【請求項３８】
前記第１の歯車は、
前記第１の面の少なくとも１つの開口部の中に位置されている少なくとも１つのストッパと、
前記切断手段を前記管から離れるようにバイアスするバイアス手段と、
このバイアス手段と切断手段とを、前記第１の面の少なくとも１つの開口部に対して、固定するための固定手段とをさらに有している請求項３５に記載の装置。
【請求項３９】
前記バイアス手段は、少なくとも１つのばねをさらに有している請求項３８に記載の装置。
【請求項４０】
前記固定手段は、前記第１の歯車と同心になるように取着されている少なくとも１つのリングをさらに有している請求項３８に記載の装置。
【請求項４１】
前記第１の歯車の第２の面の少なくとも１つの開口部は、径方向に延びている開口部をさらに有している請求項３５に記載の装置。
【請求項４２】
前記第１の歯車の第２の面の少なくとも１つの開口部は、前記溝形成手段の突起に相補的な形状をさらに有している請求項３５に記載の装置。
【請求項４３】
前記第１の歯車は、
前記第２の面の少なくとも１つの開口部の中に位置されている少なくとも１つのストッパと、
前記溝形成手段を前記管から離れるようにバイアスするバイアス手段と、
このバイアス手段と溝形成手段とを、前記第２の面の少なくとも１つの開口部に対して、固定するための固定手段とをさらに有している請求項３５に記載の装置。
【請求項４４】
前記第２の歯車のための回転手段は、
少なくとも１つの駆動シャフトと、
この少なくとも１つの駆動シャフトを回転させる手段とをさらに有する請求項３４に記載の装置。
【請求項４５】
前記少なくとも１つの駆動シャフトを回転させる手段は、電気パワードリルの出力部分をさらに有している請求項４４に記載の装置。
【請求項４６】
管を切断するための複数のカッターと、
この管に溝を形成するための複数のローラと、
この管に対して前記カッターとローラとを移動させるための移動手段とを具備しているチューブを切断し溝の形成された端形状を形成するための装置。
【請求項４７】
前記各カッターは、端部を形成するように前記管を切断し、同時に、この管の丸められた端部と角がそがれた端部との少なくとも一方を形成するためのプロファイルをさらに有している請求項４６に記載の装置。
【請求項４８】
前記移動手段は、操作者により回転可能な手動で回転可能な部材をさらに有している請求項４６に記載の装置。
【請求項４９】
前記部材は、
つかむためのノブと、
このノブに取着可能なシャフトとをさらに有している請求項４８に記載の装置。
【請求項５０】
前記移動手段は、調整可能なストッパをさらに有している請求項４８に記載の装置。
【請求項５１】
前記移動手段は、
１対の対向しているダイと、
これらダイの相対的な動きを、前記管に垂直な方向への前記ローラとカッターとの運動に転換するための手段と、
前記管に対して前記カッターとローラとを回転させるための第１の歯車と、
前記ダイを互いに対して動かすための少なくとも１つの駆動シャフトと、
前記第１の歯車を回転させるために、前記少なくとも１つの駆動シャフトと関連付けられている第２の歯車と、
前記少なくとも１つの駆動シャフトを回転させるための手段とをさらに有する請求項４６に記載の装置。
【請求項５２】
前記少なくとも１つの駆動シャフトを回転させるための手段は、電気パワードリルの出力部分をさらに有している請求項５１に記載の装置。
【請求項５３】
前記パワードリルの出力部分は、各々前記少なくとも１つの駆動シャフトに取り付け可能である、チャックと駆動シャフトとの少なくとも一方をさらに有している請求項５２に記載の装置。
【請求項５４】
前記パワードリルは、プラグ接続式のパワードリルとバッテリ式のパワードリルとの少なくとも一方をさらに有する請求項５２に記載の装置。
【発明の詳細な説明】
【技術分野】
【０００１】
本発明は、管で端部を形成するように管を切断し同時にこの端部から離間された溝をこの管に形成するための装置に関する。
【背景技術】
【０００２】
配管業において、水が通る導管は、典型的に銅製のパイプで形成されてきた。導管部分と、柔軟な導管、水栓などへとつながる外側の接続との間のジョイントは、はんだで形成されてきた。
【０００３】
建築物又は家屋の大まかな組立では、導管は、壁並びに／もしくは床又は天井の中に取着され、壁の開口部を通って延びている短い長さのパイプであるスタッブ管出口で終端している。スタッブ管出口を建築物又は家屋の設備に接続する前に、圧力試験が必要とされる。圧力計は、スタッブ管出口の１つにはんだにより取着される。全ての残りのスタッブ管出口は、キャップにより閉ざされ、これらキャップも各々のスタッブ管出口にはんだ付けされる。配管システムには、それから、あらゆる漏れを検出するために圧力がかけられる。
【０００４】
この圧力試験が完了した後、キャップと圧力計とがスタッブ管出口から取り外され、配管設備が、取り付けられる。典型的には、締め切りバルブ（shut off valve）が、多くのスタッブ管出口に、はんだ又は締め付け可能な圧縮管継手により締め切りバルブに取り付けられた外部導管と共にはんだ付けされ、この外部導管は、柔軟なホースとして形成することができる。
【０００５】
典型的な建築物又は家屋の配管の設置から明らかなように、全てのスタッブ管出口に規約が必要とされる圧力試験を実行するためにキャップと圧力計とをはんだ付けし、それから、建築物の配管設備への接続のために締め切りバルブをスタッブ管出口にはんだ付けする前に、キャップと圧力計とのはんだをはがすことには、かなりの量の時間が必要とされる。結果として、配管業は、建築物と家屋との水の供給システムの供給と接続とのための容易な接続へと移行する必要にますます迫られている。このような容易な接続は、規約が必要とされる封止したシステムの圧力試験と、最終的な締め切りバルブへの接続の前のスタッブ管出口の周辺の典型的な空石積み（drywalling）とを考慮に入れなければならない。
【発明の開示】
【発明が解決しようとする課題】
【０００６】
したがって、迅速な接続特性を有する水の供給要素への接続のために適したスタッブ管出口の溝が形成された端形状（endform）又はプロファイルを作るような道具を提供することが望ましい。溝が形成された端形状を作るような、手動の簡単な工具又は電気工具であり得ることも望ましい。配管と、自動車と、工業との応用のこのような非限定的な例を有するどんな管及びプロファイルの応用に対しても溝を作ることと管の長さの切断とを行うための道具を提供することも望ましい。
【課題を解決するための手段】
【０００７】
本発明は、管の端部を切断し同時に管に溝の形成されたプロファイルを形成するための装置すなわち道具である。この道具は、前記管をある長さに（to length）切断するための手段と、この管に溝を形成するための手段と、前記切断手段及び溝形成手段をこの管に対して移動させる手段とを有している。前記切断手段は、少なくとも１つのカッターを有することができる。前記溝形成手段は、少なくとも１つのローラを有することができる。前記切断手段は、前記管を切断し、同時に、この管の切断された端部に丸められた並びに／もしくは角がそがれた（chamfered）プロファイルを形成するための手段を有することができる。
【０００８】
この態様において、前記管に対して前記切断手段と溝形成手段とを移動させるための手段は、本体と、支持体と、この支持体を前記本体に対して移動させるための支持体移動手段とを有している。前記本体は、前記少なくとも１つのカッターと少なくとも１つのローラを有している。この本体は、また、複数の様々な直径の管を許容するような調整手段を有することができる。この調整手段は、移動止め（detent）手段と、制止体（restraint）と、様々な管の直径と関連した印（indicia）とを有することができる。前記支持体は、前記少なくとも１つのカッターと少なくとも１つのローラとそれぞれ対向して位置する他のカッターと他のローラとを有している。
【０００９】
他の態様において、前記切断手段と溝形成手段とを前記管に対して動かすための手段は、１対の対向するダイ（dies）と、前記切断手段と溝形成手段とを前記管に対して回転可能に動かすための第１の歯車と、前記ダイを互いに対して動かすための手段と、前記ダイの間の相対運動を前記切断手段と溝形成手段との前記管の長手方向軸に対しての垂直な方向への運動に転換する（translate）ための転換手段とを有している。この転換手段は、各々のダイのくぼみ（pocket）に相補的な形状を有している角のある（angled）面を前記切断手段と溝形成手段とに有する事ができる。前記ダイを互いに対して動かすための手段と前記管に対して歯車を回転させる手段とは、駆動シャフトを有することができる。バッテリ出力の並びに／またはプラグ接続式であることができる電気パワードリルの出力を前記駆動シャフトを回転させるための手段として与えることができる。
【００１０】
本道具は、流体クイックコネクタ（fluid quick connector）の使用により、時間のかかるパイプ接続のはんだ付けを必要とすることなく、現存している建築物の配管に容易に取り着けることを可能にしている。このことは、システムに圧力がかけられる前に全てのスタッブ管出口の開口端にキャップをはんだ付けしなければならない建築物の配管の初期圧力試験の間には、特に好都合である。これらキャップは、続いて取り外され、他の流管、止め弁などが前記スタッブ管出口に普通の仕方で接続される。本道具は、このスタッブ管出口の端部を切断し、全てのはんだ付けに代わる迅速な接続の特色を有する水供給要素への接続に適した溝の形成された端形状を形成している。本道具は、スタッブ管出口に単純な摺接（slide-on）の仕方で取り付けられる締め切りバルブなどを有している単一のクイックコネクタによりこれらの時間のかかる手順をなくしている。
【発明を実施するための最良の形態】
【００１１】
本発明の様々な特色、有利な点及び他の使用法は、以下の詳細な説明と図面とを参照することによりより明確になる。
【００１２】
図面の図１乃至８を参照すると、端部１１をある長さに切断し、同時に、管１４に溝１２を形成するために適した装置すなわち道具１０の一態様が示されている。溝１２の深さとこの溝１２の管１４の端部１１からの長さとを、業界標準に適合させるように、作ることができる。この溝１２は、例えば、業界標準に従って形状がおおよそ矩形であることができる。道具１０は、鉄材料とアルミニウム材料とを有し得る、金属材料で形成することができる。この道具１０は、以下の例において、管を切断するための少なくとも１つのカッター１６を有する事ができる切断手段１５と、少なくとも１つのローラ１８を有することができる、管１４に溝１２を形成するための溝形成手段１７と、切断手段１５と溝形成手段１７とを管１４に対して移動させるための移動手段１９とを有している。切断手段１５は、管１４の端部１１を切断し、同時に、この管１４の切断された端部１１に、例としてであり限定としてではなく、角がそがれた端部並びに／もしくは丸められたプロファイル２２を形成するための手段２０を有する事ができる。この切断手段１５は、少なくとも１つの切断輪２４を有することができる。図１乃至３と、図６及び図７とに見られるように、溝形成手段１７は、少なくとも１つのローラ輪２６を有することができる。移動手段１９は、少なくとも１つのカッター１６と少なくとも１つのローラ１８とを有している本体３０と、他の少なくとも１つのカッター１６と他の少なくとも１つのローラ１８とを各々が本体３０の少なくとも１つのカッター１６と少なくとも１つのローラ１８と対向するように位置させて有する支持体３２と、本体３０に対してこの支持体３２を移動させるための支持体移動手段３３とを有することができる。全てのカッター１６は、図１乃至３に見られるように同一平面にある。全ての前記ローラ１８は同一平面にある。
【００１３】
本体３０は、図６と図７とに最もよく見られるように、おおよそＣ字形状であることができる。支持体移動手段３３は、図１乃至３と図７とに透視図で示されている本体３０の穴３７と、支持体３２とに取り付け可能なねじが形成されたシャフト３６を有する回転可能な部材３４を備えることができ、その結果、図１乃至３と図７とに詳細に示されているように、操作者により手動でこの部材３４を回転させることにより本体３０に対して支持体３２を移動させることができる。
【００１４】
図１乃至３と図６乃至８とに示されているように、本体３０は、様々な直径の管１４を取り扱うことができるように、支持体移動手段３３を調整するための調整手段３８を有することができる。この調整手段３８は、以下に説明されているように本体３０に取り付け可能な調整可能な停止手段４０を有する事ができる。この調整可能な停止手段４０は、制止体４２と移動止め手段４４とを、例えば、制止体４２の停止位置４５Ａ、４５Ｂ、４５Ｃ、４５Ｄ、４５Ｅ、４５Ｆ、４５Ｇ、４５Ｈのような複数の停止位置を規定するために有する事ができる。この移動止め手段４４は、本体３０の開口部４８の中にはめ込むことができる部材すなわちボール４６と、このボール４６を開口部４８から図８に示されているような制止体４２の複数の開口部５２のうちの１つとの係合へとバイアスするためのバイアス手段５０とを有する事ができる。例としてであり限定するのではなく、このバイアス手段５０は、ばね５４を有することができる。調整手段３８は、各々が異なる停止位置４５Ａ、４５Ｂ、４５Ｃ、４５Ｄ、４５Ｅ、４５Ｆ、４５Ｇ、４５Ｈと関連付けられている複数の印５６を有することができる。さらに、この印５６の各々を、移動止め開口部５２の各々と関連付けることができる。調整可能な停止手段４０は、制止体４２を本体３０に回転可能に取り付けるための取着手段５８を有する事ができる。この取着手段５８は、留め具６０を有することができ、この留め具６０は、例としてであり制限的ではなく、ねじの形成された留め具であることができる。この留め具６０を、制止体４２の移動止め用留め具開口部６２により、そして、本体３０の対応する留め具開口部６４により受け入れることができる。
【００１５】
制止体４２は、多角形の形状にすることができ、制止体４２の回転軸６３が、この制止体４２の各面６５Ａ、６５Ｂ、６５Ｃ、６５Ｄ、６５Ｅ、６５Ｆ、６５Ｇ、６５Ｈが、停止位置４５Ａ、４５Ｂ、４５Ｃ、４５Ｄ、４５Ｅ、４５Ｆ、４５Ｇ、４５Ｈの各々とそれぞれ関連付けられている、この制止体４２の各面から異なる距離にあるように、移動止め開口部６２を位置付けることができる。動作中には、回転可能な部材３４の本体３０の方向への動きは、制止体４２の１つの面６５Ａ、６５Ｂ、６５Ｃ、６５Ｄ、６５Ｅ、６５Ｆ、６５Ｇ、６５Ｈとの接触により、妨げられている。したがって、各面６５Ａ、６５Ｂ、６５Ｃ、６５Ｄ、６５Ｅ、６５Ｆ、６５Ｇ、６５Ｈは、回転軸６３から異なる距離にあるので、各停止位置４５Ａ、４５Ｂ、４５Ｃ、４５Ｄ、４５Ｅ、４５Ｆ、４５Ｇ、４５Ｈは、本体３０の少なくとも１つのカッター及び少なくとも１つのローラ１８と支持体３２の少なくとも１つのカッター及び少なくとも１つのローラ１８とのそれぞれの間の距離と、様々な直径の管を取り扱うことが可能なように関連付けられている。
【００１６】
例としてであり限定としてではなく、ねじの形成されたシャフト３６を図１乃至３に示されているように、支持体３２に取り付けることができる。この支持体３２は、ねじの形成されたシャフト３６のねじの形成されていない端部分６８を中に受けるための支持体開口部６６を有することができる。支持体３２に対する端部分６８の回転を１対のワッシャー７０により容易にすることができる。各ワッシャー７０を、支持体３２の互いに対向する側面の一方に位置させ、支持体開口部６６と同心に位置させることができる。例としてであり限定としてではなく、ロックリング７２を端部分６８を支持体３２に対して固定するために、そして、ワッシャー７０を固定するために用いることができる。
【００１７】
図１乃至３と、図６及び７とに見られるように、少なくとも１つのカッター１６は、１対のカッター１６又は３つのカッター１６であり、これら全てのカッター１６は、同一平面上にあり、複数のカッター１６は、これらカッター１６の管１４に対する力のバランスのために示されている。少なくとも１つのローラ１８は、１対のローラ１８又は３つのローラ１８であり、これら全てのローラ１８は、同一平面上にあり、複数のローラ１８は、これらローラ１８の管１４に対する力のバランスのために示されている。少なくとも１つのカッター１６と、少なくとも１つのローラ１８とを１つのカッター１６と１つのローラ１８の複数の同心の対で位置させることができ、この管１４の溝１２と切断された端部１１との間の距離は、各々のカッター１６とローラ１８との間の距離に対応している。カッター１６とローラ１８との対の各々を、シャフト７４により支持することができ、このシャフト７４を本体３０又は支持体３２により支持している。あらかじめ選ばれている間隔を各カッター１６と各ローラ１８との間で間隔維持手段７６により維持することができ、この間隔維持手段７６は、軸受筒７８を有することができる。各カッター１６とローラ１８との間の間隔をこの軸受筒７８を変化させることにより変えることができ、したがって、管１４の切断された端部１１と溝１２との間の距離をこの軸受筒７８を変化させることにより変化させることができる。
【００１８】
道具１０の他の態様が、図９乃至１８に示されている。可動な手段（moving means）１９Ａをハウジング１００により収納することができる。この可動な手段１９Ａを、金属材料で形成することができ、この金属材料は、鉄材料とアルミニウム材料とを有することができる。ハウジング１００をプラスチック材料、金属材料又はこれら材料の組合せで形成することができる。
【００１９】
この例において、図９乃至１２に見られるように、可動な手段１９Ａは、１対の互いに対向するダイ１０２、１０４と、切断手段１５Ａと、溝形成手段１７Ａとを管１４に対して回転可能に移動させるための第１の歯車１０６を有しているアクチュエータ１０５と、ダイ１０２、１０４を相対的に移動させ、第１の歯車１０６を管１４に対して移動させるためのダイ移動手段１０８とを有することができる。切断手段１５Ａは、少なくとも１つのカッター１６Ａを有することができる。この少なくとも１つのカッター１６Ａは、３つのカッターを有することができ、これらカッター１６Ａは、同一平面上にある。溝形成手段１７Ａは、少なくとも１つのローラ１８Ａを有することができる。この少なくとも１つのローラ１８Ａは、３つのローラ１８Ａを有することができ、これらローラ１８Ａは、同一平面上にある。移動手段１０８は、第２の歯車１１２に取着可能な第１のすなわち主駆動シャフト１１０を有することができ、この第２の歯車１１２は、第１の歯車１０６と駆動係合をしている。例としてであり限定ではなく、第１の駆動シャフト１１０は、第１のねじが形成された部分１１４と第２のねじが形成された部分１１６とを有することができ、この第２のねじが形成された部分１１６は、第２の歯車１１２に対して第１のねじが形成された部分に対向して位置している。第１のねじが形成された部分１１４と第２のねじが形成された部分１１６とは、ねじパターン１２２、１２３をそれぞれ有している。これらねじパターンは、それぞれ、ダイの開口部１１８、１１９に相補的である。第１のねじが形成された部分１１４は、第２のねじが形成された部分１１６のねじ方向（thread direction）１２６と反対のねじ方向１２４を有することができる。
【００２０】
第１の駆動シャフト１１０は、図１０乃至１３に見られるように、この第１の駆動シャフト１１０に対して第２の歯車１１２を固定するための留具１３２を各々受けるための第２の歯車１１２の１対の開口部１３０に対応している１対の開口部１２８を有することができ、第１の駆動シャフト１１０を、この第２の歯車１１２のボア１３３により受けている。例としてであり限定としてではなく、留具１３２は、ピンであることができる。移動手段１０８は、第１の駆動シャフト１１０と、カッター１６を受けるための第１の歯車１０６の第１の面１３８の少なくとも１つの開口部１３６と、ローラ１８を受けるための第１の歯車１０６の第２の面１４２の開口部１４０と、第１の歯車１０６と駆動係合している第３の歯車１４６を有している第２の駆動シャフト１４４とを回転させるための回転手段１３４も有することができる。
【００２１】
例としてであり限定としてではなく、第２の駆動シャフト１４４は、第１のねじが形成された部分１４８と、第２のねじが形成された部分１５０と、各々が第１のねじが形成されている部分１４８と第２のねじが形成されている部分１５０との一方と結合されている２つのねじの形成されていない端部１５２と、ねじが形成されているダイの開口部１１８、１１９とそれぞれ相補的なパターンを有しており、反対のねじ方向１２４、１２６を有しているねじパターン１２２、１２３とを有することができる。図１４に見られるように、この第２の駆動シャフト１４４は、各々が第２の駆動シャフト１４４に対して第３の歯車１４６を固定するように１つの留具１３２を中に受けるための、第３の歯車１４６の１対の開口部１５６に対応している１対の開口部１５４を有することができ、第２の駆動シャフト１４４を、第３の歯車１４６のボア１５７により中に受けている。
【００２２】
ここで図９を参照すると、回転手段１３４は、例としてであり限定としてではなく、図９で透視図で示されている、電気パワードリル１６０の出力部分１５８を有することができる。この電気パワードリル１６０は、プラグ接続式のパワードリル並びに／もしくはバッテリ式のパワードリルであることができる。このパワードリル１６０の出力部分１５８は、チャック(chuck)１６２並びに／もしくは主駆動シャフト１１０に取り付け可能な出力シャフト１６４を有することができる。この電気パワードリル１６０は、図９に透視図で示されている電気モータ１６６を有している。
【００２３】
ここで図１２を参照すると、第１の歯車１０６の第１の面１３８の開口部１３６は、開放式のスロットを有することができる径方向に延びている開口部であることができる。例としてであり限定としてではなく、この開口部１３６を、ストッパ（stop）１６８と、このストッパ１６８を中に受けることができる第２の開口部１７０と、切断手段１５Ａを管１４から離れるようにバイアスするためのバイアス手段と、このバイアス手段１７２と切断手段１５Ａとを開口部１３６に対して固定するための固定手段１７４と結合することができる。バイアス手段１７２は、ばね１７６を有することができる。固定手段１７４は、リングであることができる。
【００２４】
第１の歯車１０６の第２の面１４２の開口部１４０は、径方向に延びている開口部であることができる。開口部１４０は、溝形成手段１７Ａの突起１８０に相補的な形状を有することができる。開口部１４０は、ローラ１８Ａを管１４から離れるようにバイアスするためのバイアス手段１８２と、固定手段１８４とを有することができる。バイアス手段１８２は、開口部１４０に対してバイアス手段１８２と溝形成手段１７Ａとを固定するためのばねを有することができる。例としてであり限定としてではなく、開口部１４０と関連付けられている固定手段１８４は、リング１８８を有することができる。
【００２５】
切断手段１５Ａは、図１５、１６に見られるように、基台１９６と、切断輪２４Ａと、この切断輪２４Ａを基台１９６に回転可能に取り付けるための回転可能な取着手段１９８とを有することができる。基台１９６は、第１の面２００と、この第１の面２００に位置している突起１６７と、ダイ１０２の開口部すなわちくぼみ２０２の開口部に相補的な形状を有している第２の面２０１とを有することができる。例としてであり限定としてではなく、この第２の面２０１は、ダイ１０２、１０４の間の相対的な運動を、管１４に対して垂直方向への切断手段１５Ａの運動へと転換するために、角度を付けられた（angled）面であることができる。回転可能な取着手段１９８は、留具２０４と、この留具２０４を中に受けるための基台１９６の少なくとも１つの開口部２０６と、この留具２０４を中に受けるための切断輪２４の対応する開口部２０８とを有することができる。例としてであり限定としてではなく、留具２０４は、頭部２１０とシャフト２１２とを有することができる。
【００２６】
ここで図１７と図１８とを参照すると、溝形成手段１７Ａは、基台２１４と、ローラ輪２６Ａと、このローラ輪２６Ａを基台２１４に取り付けるための回転可能な取着手段２１６とを有することができる。基台２１４は、第１の面２１８と、この第１の面２１８に位置している突起１８０と、ダイ１０４の開口部すなわちくぼみ２２２に相補的な形状を有している第２の面２２０とを有することができる。この第２の面２２０に、ダイ１０２、１０４の相対的な動きを管１４に対する垂直な方向への溝形成手段１７Ａの動きに転換する転換のための手段として振舞うために、角度をつける(angled)ことができる。回転可能な取着手段２１６は、留具２２４と、この留具２２４を中に受けるための、基台２１４の少なくとも１つの開口部と、頭部２３０及びシャフト２３２を備えた留具２２４を中に受けるためのローラ輪２６の対応する開口部２２８とを有することができる。
【００２７】
動作の際に、ダイ１０２、１０４は、ねじが形成されたダイの開口部１１８、１１９に作用する駆動シャフト１１０、１４４により共に動いて離れる。これらダイ１０２、１０４が共に動くと、この運動は、上述のように切断手段１５Ａと溝形成手段１７Ａとの運動に転換される。ダイ１０２、１０４が動いて離れると、くぼみ２０２、２２２により第２の面２０１、２２０にそれぞれかけられる力は、減少し、切断手段１５Ａと溝形成手段１７Ａとは、バイアス手段１７２、１８２により切断手段１５Ａと溝形成手段１７Ａとにそれぞれかけられている力により、互いに動いて離れていく。  
【図面の簡単な説明】
【００２８】
【図１】端部を切断し同時に管に溝を形成するための道具の側立面図である。
【図２】切断と溝形成との前の管を示している、図１に示されている道具の側立面図である。
【図３】切断と溝形成との後の管を示している、図１に示されている道具の側立面図である。
【図４】道具を使う前の管の単純化された斜視図である。
【図５】道具を使った後の管の単純化された斜視図である。
【図６】図１に示されている道具の前立面図である。
【図７】図１に示されている道具の背面立面図である。
【図８】おおよそ図６の８−８線に沿って切断した道具の切断図である。
【図９】本発明に係る道具の他の態様の部分断面図である。
【図１０】図９に示されている道具の単純化された側図である。
【図１１】図１０に示されているダイ集合体の単純化された斜視図である。
【図１２】図１０に示されているダイ集合体の部分的に分解された斜視図である。
【図１３】おおよそ図１０の１３−１３線に沿って切断された道具の部分切断図である。
【図１４】おおよそ図１０の１４−１４線に沿って切断された道具の部分切断図である。
【図１５】図７及び図１０に示されている道具のカッターの側立面図である。
【図１６】図７、図１０及び図１１に示されているカッターの分解斜視図である。
【図１７】図７及び図１０に示されている道具のローラの側立面図である。
【図１８】図７、図１０及び図１３に示されているローラの分解斜視図である。
【符号の説明】
【００２９】
１０…装置、１１…端部、１２…溝、１４…管、１５…切断手段、１７…溝形成手段、１９…移動手段。
【図１】
2006289603.tif 000003
【図２】
2006289603.tif 000004
【図３】
2006289603.tif 000005
【図４】
2006289603.tif 000006
【図５】
2006289603.tif 000007
【図６】
2006289603.tif 000008
【図７】
2006289603.tif 000009
【図８】
2006289603.tif 000010
【図９】
2006289603.tif 000011
【図１０】
2006289603.tif 000012
【図１１】
2006289603.tif 000013
【図１２】
2006289603.tif 000014
【図１３】
2006289603.tif 000015
【図１４】
2006289603.tif 000016
【図１５】
2006289603.tif 000017
【図１６】
2006289603.tif 000018
【図１７】
2006289603.tif 000019
【図１８】
2006289603.tif 000020
【手続補正書】
【提出日】平成18年8月31日(2006.8.31)
【手続補正１】
【補正対象書類名】明細書
【補正対象項目名】０００５
【補正方法】変更
【補正の内容】
【０００５】
典型的な建築物又は家屋の配管の設置から明らかなように、全てのスタッブ管出口に規約が必要とされる圧力試験を実行するためにキャップと圧力計とをはんだ付けし、それから、建築物の配管設備への接続のために締め切りバルブをスタッブ管出口にはんだ付けする前に、キャップと圧力計とのはんだをはがすことには、かなりの量の時間が必要とされる。結果として、配管業は、建築物と家屋との水の供給システムの供給と接続とのための容易な接続へと移行する必要にますます迫られている。このような容易な接続は、規約が必要とされる封止したシステムの圧力試験と、最終的な締め切りバルブへの接続の前のスタッブ管出口の周辺の典型的な空石積み（drywalling）とを考慮に入れなければならない。  
【特許文献１】米国公開公報Ｎｏ．０１３９１６２Ａ１
【特許文献２】米国特許Ｎｏ．２，９７５，８１９
【特許文献３】米国特許Ｎｏ．３，０７１，９９３
【特許文献４】米国特許Ｎｏ．３，１４８，５６４
【特許文献５】米国特許Ｎｏ．３，３８７，４７７
【特許文献６】米国特許Ｎｏ．３，５０４，５１５
【特許文献７】米国特許Ｎｏ．３，５１４，９８５
【特許文献８】米国特許Ｎｏ．３，７８０，５５６
【特許文献９】米国特許Ｎｏ．３，８３１，４１６
【特許文献１０】米国特許Ｎｏ．４，０９１，６４８
【特許文献１１】米国特許Ｎｏ．４，１４３，５３５
【特許文献１２】米国特許Ｎｏ．５，２９１，７６９
【特許文献１３】米国特許Ｎｏ．５，３２９，７９７
【特許文献１４】米国特許Ｎｏ．５，７２７，４１１
【特許文献１５】米国特許Ｎｏ．６，３０８，５４８
【特許文献１６】米国特許Ｎｏ．６，６６６，０６２
【特許文献１７】米国特許Ｎｏ．６，０９５，０２１
【特許文献１８】ＵＳ  ２００２／０００７５１４  Ａ１
【特許文献１９】ＷＯ  ９８／５７７７２
【特許文献２０】ＵＳ  ２００２／０１２９６３５  Ａ１
【非特許文献１】対応する欧州特許出願での２００６年８月１日付け欧州調査報告
【外国語明細書】
2006289603000001.pdf